(57)【要約】【課題】ガス器具の状態を容易且つ明確に分析できるガス器具システムを提供する。【解決手段】炊飯器システム１００は、炊飯器１と外部端末５０を備える。炊飯器１のＣＰＵ１３は、炊飯器１の状態を反映する雰囲気温度や釜温度等の各種データを取得し、その取得した各種データの履歴情報をフラッシュメモリ１８に記憶する。外部端末５０は炊飯器１に接続する。外部端末５０のＣＰＵ５１は、炊飯器１のフラッシュメモリ１８から履歴情報を読出し、グラフ情報を作成する。ＣＰＵ５１は作成したグラフ情報を表示部５５に表示する。これにより、炊飯器１の点検作業者は、表示部５５に表示されたグラフ情報を確認することによって、炊飯器１の使用していた状態を容易且つ明確に分析できる。【選択図】図１
2020048639.tif 000002
【特許請求の範囲】
【請求項１】
ガス器具の状態を取得する取得手段と、
前記取得手段が取得した前記状態の履歴情報を記憶部に記憶する記憶手段と、
前記記憶部に記憶した前記履歴情報に基づき、前記状態の時間変化を示すグラフ情報を作成する作成手段と、
前記作成手段が作成した前記グラフ情報を出力する出力手段と
を備えたこと
を特徴とするガス器具システム。
【請求項２】
前記取得手段は、前記ガス器具による調理開始から終了までにおいて、予め設定された複数の事象のうち何れかの事象が発生した場合に、前記状態を取得すること
を特徴とする請求項１に記載のガス器具システム。
【請求項３】
前記ガス器具は、米と水が投入された内釜をバーナで加熱することによって炊飯調理が可能なガス炊飯器であって、
前記内釜の温度である釜温度を検出する釜温度検出手段と、
前記内釜の雰囲気温度を検出する雰囲気温度検出手段と
を備え、
前記状態とは、
前記釜温度検出手段が検出した前記釜温度の状態、及び前記雰囲気温度検出手段が検出した前記雰囲気温度の状態を含むものであって、
前記複数の事象とは、前記炊飯調理の開始から終了までの間において、水に米を浸す工程である浸し工程、前記内釜を加熱して米を炊く工程である炊き工程、前記内釜の加熱を停止し、米を蒸らす工程である蒸らし工程の各工程に切り替わる夫々の事象を含むものであること
を特徴とする請求項２に記載のガス器具システム。
【請求項４】
バーナを点火する点火手段と、
前記バーナの火力を調節する火力調節手段と
を備え、
前記状態とは、
前記点火手段の動作状態、及び前記火力調節手段の動作状態を含むものであること
を特徴とする請求項１から３の何れかに記載のガス器具システム。
【発明の詳細な説明】
【技術分野】
【０００１】
本発明は、ガス器具システムに関する。
【背景技術】
【０００２】
従来、内釜の釜底に接触する温度センサを備えたガス炊飯器が知られている（例えば、特許文献１参照）。この炊飯器では、炊飯時には、温度センサから検出される検出温度に基づき、内釜内の沸騰状態を感知する。そして、沸騰状態を感知した後、温度センサによる検出温度が沸騰温度よりも高い炊飯完了温度に到達したことを感知すると、炊飯加熱を停止させる炊飯制御を行う。
【先行技術文献】
【特許文献】
【０００３】
【特許文献１】特開２０１０−５７８２１号公報
【発明の概要】
【発明が解決しようとする課題】
【０００４】
上記の様なガス炊飯器を使用している一般家庭において、ガス炊飯器に何等かの不具合が生じると、ご飯がうまく炊けない場合がある。例えば、上記の温度センサには、バーナからの火炎の影響を軽減する為に、カバーが設けられるが、カバーが正規の位置からずれてしまっている場合、ご飯の炊き上がりが底の部分でベチャとした感じになってしまうことがある。この様な不具合を生じた場合、使用者はメーカに対して修理を依頼する。メーカ側では、使用者から聞いた不具合を検証する為、不具合の再現を試みるが、その再現に時間がかかってしまうという問題点があった。また、検証時において、仮にカバーが正規の位置に戻っていた場合、その不具合を再現できないことから、原因を特定できないという問題点もあった。
【０００５】
本発明の目的は、ガス器具の状態を容易且つ明確に分析できるガス器具システムを提供することである。
【課題を解決するための手段】
【０００６】
請求項１のガス器具システムは、ガス器具の状態を取得する取得手段と、前記取得手段が取得した前記状態の履歴情報を記憶部に記憶する記憶手段と、前記記憶部に記憶した前記履歴情報に基づき、前記状態の時間変化を示すグラフ情報を作成する作成手段と、前記作成手段が作成した前記グラフ情報を出力する出力手段とを備えたことを特徴とする。
【０００７】
請求項２のガス器具システムの前記取得手段は、前記ガス器具による調理開始から終了までにおいて、予め設定された複数の事象のうち何れかの事象が発生した場合に、前記状態を取得するとよい。
【０００８】
請求項３のガス器具システムの前記ガス器具は、米と水が投入された内釜をバーナで加熱することによって炊飯調理が可能なガス炊飯器であって、前記内釜の温度である釜温度を検出する釜温度検出手段と、前記内釜の雰囲気の温度である雰囲気温度を検出する雰囲気温度検出手段とを備え、前記状態とは、前記釜温度検出手段が検出した前記釜温度の状態、及び前記雰囲気温度検出手段が検出した前記雰囲気温度の状態を含むものであって、前記複数の事象とは、前記炊飯調理の開始から終了までの間において、水に米を浸す工程である浸し工程、前記内釜を加熱して米を炊く工程である炊き工程、前記内釜の加熱を停止し、米を蒸らす工程である蒸らし工程の各工程に切り替わる夫々の事象を含むものであるとよい。
【０００９】
請求項４のガス器具システムは、バーナを点火する点火手段と、前記バーナの火力を調節する火力調節手段とを備え、前記状態とは、前記点火手段の動作状態、及び前記火力調節手段の動作状態を含むものであるとよい。
【発明の効果】
【００１０】
請求項１のガス器具システムによれば、ガス器具の状態を取得し、その状態の履歴情報を記憶部に記憶する。そして、ガス器具システムは、記憶した履歴情報をグラフ情報として出力する。よって、点検作業者は出力されたグラフ情報を確認することによって、ガス器具の状態を容易に分析できる。ガス器具の使用時に生じていた不具合を再現しなくても後から検証できるので、不具合の再現にかかっていた時間と手間を大幅に削減できる。
【００１１】
請求項２のガス器具システムによれば、予め設定された複数の事象のうち何れかの事象が発生した場合にのみガス器具の状態を取得し、履歴情報として記憶する。そのような履歴情報に基づき作成されたグラフ情報を用いることで、点検作業者は、ガス器具の状態の変化を、事象が発生したときの状態のみで分析できる。即ち、分析には必要のない変動やノイズをグラフ情報から除去できるので、事象が発生した重要なポイントを中心にガス器具の状態を分析できる。また、予め設定された複数の事象のうち何れかの事象が発生した場合にのみガス器具の状態を取得し、履歴情報として記憶するので、容量の少ない記憶部であっても対応できる。
【００１２】
請求項３のガス器具システムによれば、ガス炊飯器の炊飯調理において、浸し工程、炊き工程、蒸らし工程の各工程に切り替わるときの釜温度及び雰囲気温度は、米が良好に炊けるか否かの重要なファクターである。ガス器具システムは、各工程に切り替わる事象が発生したときの状態の変化を示すグラフ情報を作成できるので、点検作業者は、炊飯調理中の釜温度及び雰囲気温度の夫々の変化を、各工程が切り替わる重要なポイントを中心にガス炊飯器の状態を分析できる。
【００１３】
請求項４のガス器具システムによれば、バーナの点火手段の動作状態と、火力調節手段の動作状態を、グラフ情報で分析できるので、点火手段及び火力調節手段の不具合等を容易に特定できる。
【図面の簡単な説明】
【００１４】
【図１】炊飯器システム１００の構成を示すブロック図である。
【図２】イベントテーブル１８１の概念図である。
【図３】履歴情報１８２の概念図である。
【図４】履歴情報記憶処理のフローチャートである。
【図５】グラフ表示処理のフローチャートである。
【図６】正常時の釜温度と雰囲気温度の時間的変化を示すグラフである。
【図７】異常時（釜サーミスタのカバーを取り外した状態）の釜温度と雰囲気温度の時間的変化を示すグラフである。
【図８】異常時（蓋サーミスタにご飯粒を付けて検知感度を低下させた状態）の釜温度と雰囲気温度の時間的変化を示すグラフである。
【発明を実施するための形態】
【００１５】
以下、本発明の実施形態について説明する。以下に記載される装置の構造、フローチャート等は、特定的な記載がない限り、それのみに限定する趣旨ではなく、単なる説明例である。図面は、本発明が採用しうる技術的特徴を説明する為に用いられるものである。図１に示す本実施形態の炊飯器システム１００は、炊飯器１と外部端末５０を備え、炊飯器１の動作履歴の情報（後述する履歴情報１８２）を外部端末５０に読込んで分析できるものである。
【００１６】
図１を参照し、炊飯器１の構造について説明する。炊飯器１は、米と水を入れる内釜２と、内釜２が着脱可能に収納される筒状のケーシング（図示略）と、ケーシングに軸支されて内釜２の上部開口を開閉する内蓋３と、ガスを燃焼させて内釜２を加熱するバーナ４とを備える。炊飯器１は、内釜２の釜底温度を検出する釜サーミスタ９と、内釜２の雰囲気温度を検出する蓋サーミスタ３３と、釜サーミスタ９及び蓋サーミスタ３３の各検出温度に基づき、バーナ４の燃焼を制御するコントローラ１２とを備える。
【００１７】
バーナ４の近傍には、バーナ４に点火するイグナイタ電極２４と、バーナ４が点火したことを検出するフレームロッド２５が設けられる。イグナイタ電極２４は図示しないイグナイタがオンすることによりスパークを発生し、バーナ４を点火する。バーナ４へガスを供給するガス供給路５には、ガス流路を開閉する元電磁弁６が設けられ、元電磁弁６の下流側には、分岐部２７と合流部２８が上流から順に設けられる。分岐部２７にはバイパス３１の一端部が接続され、合流部２８にはバイパス３１の他端部が接続される。よって、ガス供給路５を流れるガスは、分岐部２７で２つの流路に分流され、合流部２８で再び合流し、バーナ４に供給される。ガス供給路５の分岐部２７と合流部２８の間には、第１電磁弁７が設けられ、バイパス３１には、第２電磁弁８が設けられる。このような構成において、バーナ４を強火で燃焼させる場合には、第１電磁弁７と第２電磁弁８の両方が開弁される。一方、弱火で燃焼させる場合には、第１電磁弁７のみが開弁されて第２電磁弁８は閉弁される。このようにして、バーナ４の火力制御が行われる。
【００１８】
釜サーミスタ９は、ケーシング内に収容されたバーナ４の中央に設けられる。釜サーミスタ９は、カバー１０によって覆われている。釜サーミスタ９は、カバー１０を介して、ケーシング内にセットされた内釜２の釜底中央部に当接し、内釜２の釜底温度を検出する。内釜２内の被調理物の温度は直接検出できないので、釜底温度を検出することにより、被調理物の温度を間接的に検出する。釜サーミスタ９は、コントローラ１２に電気的に接続されている。それ故、コントローラ１２は、釜サーミスタ９によって検出される温度データ信号を受信できる。
【００１９】
蓋サーミスタ３３は、内蓋３の下面に設けられる。蓋サーミスタ３３は、内蓋３で内釜２の上部開口を閉じたときに、内釜２の内側上部に配置されることによって、内釜２の雰囲気温度を検出する。蓋サーミスタ３３も、コントローラ１２に電気的に接続されている。それ故、コントローラ１２は、蓋サーミスタ３３によって検出される温度データ信号を受信できる。なお、蓋サーミスタ３３は感知部を内釜２側に向けた状態で、内蓋３の雰囲気温度を検出するものであるが、例えば、感知部を内蓋３の下面に接触させた状態で温度を検出してもよく、内蓋３の温度を検出してもよい。そのような構成の蓋サーミスタ３３によって検出される温度も、本発明の「雰囲気温度」に含まれるものである。
【００２０】
コントローラ１２は、マイコン１９を備える。マイコン１９は、ＣＰＵ１３、ＲＯＭ１４、ＲＡＭ１５を備える。ＲＯＭ１４は、ＣＰＵ１３が実行する炊飯プログラムの他、履歴情報記憶プログラム等を記憶する。炊飯プログラムは、後述する炊飯調理を実行する為のものである。履歴情報記憶プログラムは、後述する履歴情報記憶処理（図３参照）を実行する為のものである。ＲＡＭ１５は、各種データを一時的に記憶する。
【００２１】
マイコン１９には、マイコン１９の外部に設けられたＥＥＰＲＯＭ１６、フラッシュメモリ１８、時計ＩＣ１７、入出力部３５等が接続される。ＥＥＰＲＯＭ１６は、書き換え可能な不揮発性メモリであり、電源が切断された際に電源切断前の炊飯器１に関する情報等を記憶する。フラッシュメモリ１８は、書き換え可能な不揮発性メモリであり、後述するイベントテーブル１８１（図２参照）、後述する履歴情報１８２（図３参照）等を記憶する。時計ＩＣ１７は、炊飯調理における加熱開始からの経過時間等を計測する。なお、コントローラ１２は、大容量の電界コンデンサを備える。電界コンデンサは停電時にマイコン１９に電源を供給できる。入出力部３５は、外部機器と電気的に接続可能であって、データの送受信を行う。
【００２２】
マイコン１９には、電源回路４０が接続されて駆動電力が供給される。電源回路４０には、電力を取得するための電源コード４４が接続される。ケーシングの外周部には、操作パネル１１が設けられる。操作パネル１１は入出力部３５に接続される。操作パネル１１は、表示画面２０と炊飯ボタン２２等を備える。表示画面２０は、例えばＬＣＤ等の表示装置を使用できる。炊飯ボタン２２は炊飯調理を開始する為のボタンである。
【００２３】
外部端末５０は、炊飯器１に接続可能である。外部端末５０は、例えば汎用Personal Computer（ＰＣ）であってノート型パソコン等を使用できる。外部端末５０は、制御を司るＣＰＵ５１を備える。ＣＰＵ５１は、ＲＯＭ５２、ＲＡＭ５３、記憶部５４、表示部５５、入力部５６、入出力部５７と電気的に接続する。ＲＯＭ５２は、ブートプログラム、ＢＩＯＳ、ＯＳの他、グラフ表示プログラム等の各種プログラムを記憶する。グラフ表示プログラムは、後述するグラフ表示制御処理（図４参照）を実行する為のものである。
【００２４】
ＲＡＭ５３は、入力部５６によって入力されたデータ等を一時的に記憶する。記憶部５４は、コンピュータが読み取り可能な非一時的な記憶媒体、例えば、不揮発性メモリによって構成される。なお、記憶部５４は、ハードディスク及び／又はＲＯＭ等で構成されてもよい。表示部５５は、例えば液晶画面であって、各種画面を表示する。入力部５６は、例えばキーボードであって、各種入力操作を受け付ける。入出力部５７は、外部機器と電気的に接続可能であって、外部機器とデータの送受信ができる。
【００２５】
図２を参照し、イベントテーブル１８１について説明する。イベントテーブル１８１は、炊飯器１の炊飯調理の開始から終了までに発生する各種イベントの条件を記憶する。本実施形態におけるイベントとは、炊飯調理中に発生する事象を意味する。炊飯器１のＣＰＵ１３は、イベントテーブル１８１に設定された各種イベントが発生した時に、炊飯器１における雰囲気温度、釜温度、イグナイタのオンオフ、バーナ４の火力について夫々検出し、後述する履歴情報１８２としてフラッシュメモリ１８に記憶する。ここで、炊飯調理は、前工程、浸し工程、炊き工程、蒸らし工程の各種工程を備える。前工程は、浸し工程の準備工程であり、バーナ４を点火してから雰囲気温度がＰ１に到達するまでの工程である。浸し工程は、バーナ４を消火し、米を水に浸した状態で米粒の芯までしっかり吸水させる工程であり、バーナ４を消火してから１２分間の工程である。炊き工程は、バーナ４を再点火して、ドライアップするまで内釜２を加熱する工程である。ドライアップとは、内釜２内の水分が蒸発した状態を意味する。蒸らし工程は、炊き工程終了後にバーナ４を消火し、内釜２の中の余分な水分を十分に蒸散させて米を蒸らす工程である。
【００２６】
イベントテーブル１８１に予め設定されるイベントは、少なくとも上記の各工程に夫々切り替わるときに発生するイベントを含む。例えば、イベントＮｏ１は、前工程開始時に発生するイベントであり、バーナ４の点火完了時である。イベントＮｏ２は、前工程から浸し工程に切り替わる際に発生するイベントであり、雰囲気温度がＰ１に到達するイベントである。イベントＮｏ４は、浸し工程から炊き工程に切り替わる際に発生するイベントであり、イベントＮｏ２で雰囲気温度がＰ１到達してから１２分後に、バーナ４を再点火するイベントである。イベントＮｏ１１は、炊き工程から蒸らし工程に切り替わる際に発生するイベントであり、釜温度が沸騰温度以上に到達するイベントである。イベントＮｏ１６は、蒸らし工程が終了する際に発生するイベントであり、バーナ４を消火するイベントである。その他に、イベントＮｏ８は、雰囲気温度が沸騰温度以上に到達するイベントである。イベントＮｏ１４は、蒸らし工程中にバーナ４を再点火し、仕上げ加熱を行うイベントである。イベントＮｏ１７はバーナ４を消火してから３分後にブザー報知を行うイベントである。
【００２７】
なお、本実施形態はこれら各イベントの間にも種々のイベントを更に設定することで、炊飯調理中に生じる雰囲気温度、釜温度の重要な変化をより具体的且つ集中的に検出できる。例えば、イベントＮｏ３は、浸し工程開始時であるイベントＮｏ２の１０秒後であり、イベントＮｏ２発生直後の変化を注意深く確認する為に設定される。イベントＮｏ５は、炊き工程開始時であるイベントＮｏ４の１０秒後であり、イベントＮｏ４発生直後の変化を注意深く確認する為に設定される。なお、イベントＮｏ３、４、５等は、時間を条件としてイベントを設定するが、雰囲気温度や釜温度等の他の条件で設定してもよい。
【００２８】
図３を参照し、履歴情報１８２について説明する。履歴情報１８２は、炊飯調理中にイベントテーブル１８１に基づき検出された雰囲気温度、釜温度、イグナイタのオンオフ、バーナ４の火力の履歴情報である。なお、バーナ４の火力については、第１電磁弁７と第２電磁弁８の夫々の開閉によって強火力か弱火力かを判断できる。履歴Ｎｏは、イベントテーブル１８１のイベントＮｏ（図２参照）に対応する。検出時間ｔは、炊飯調理を開始してから各種データを検出した時間である。例えば、履歴Ｎｏ１の検出時間はｔ１（０秒）、釜温度はＡ１℃、雰囲気温度はＢ１℃、イグナイタはオン、バーナ４の火力は強である。履歴Ｎｏ２の検出時間はｔ２、釜温度はＡ２℃、雰囲気温度はＢ２（Ｐ１）℃、イグナイタはオフ、バーナ４の火力は強である。
【００２９】
図４を参照し、履歴情報記憶処理について説明する。使用者が操作パネル１１の炊飯ボタン２２を押下すると、炊飯器１のＣＰＵ１３は、ＲＯＭ１４から炊飯プログラムを読出し、炊飯処理を実行すると共に、ＲＯＭ１４から履歴情報記憶プログラムを読出し、本処理を実行する。
【００３０】
ＣＰＵ１３は、イグナイタがオンか判断する（Ｓ１）。イグナイタがオンするまで（Ｓ１：ＮＯ）、ＣＰＵ１３は待機する。イグナイタがオンした場合（Ｓ１：ＹＥＳ）、炊飯調理が開始するので、ＣＰＵ１３は時計ＩＣ１７を０に初期化してスタートする（Ｓ２）。ＣＰＵ１３は履歴Ｎｏを１から昇順で取得し（Ｓ３）、履歴情報１８２に設定する。ＣＰＵ１３は釜サーミスタ９による釜温度の計測を開始する（Ｓ４）。これと同時に、ＣＰＵ１３は蓋サーミスタ３３による雰囲気温度の計測を開始する（Ｓ５）。ＣＰＵ１３はイベントテーブル１８１に基づき、最初に発生するＮｏ１のイベントの条件を読込む（Ｓ６）。ＣＰＵ１３はＮｏ１のイベントが発生したか判断する（Ｓ７）。イベントが発生するまで（Ｓ７：ＮＯ）、ＣＰＵ１３はＳ７に戻って待機する。
【００３１】
Ｎｏ１のイベントが発生した場合（Ｓ７：ＹＥＳ）、ＣＰＵ１３は、炊飯器１の各種データを取得し（Ｓ８）、フラッシュメモリ１８における履歴情報１８２の履歴Ｎｏ１のデータとして記憶する（Ｓ９）。各種データとは、雰囲気温度、釜温度、イグナイタのオンオフ、バーナ４の火力等の情報である。ＣＰＵ１３はイベント発生時の時間を時計ＩＣ１７から取得し、履歴情報１８２として記憶する（Ｓ１０）。ＣＰＵ１３はイベントテーブル１８１に基づき、イベントが全て終了したか判断する（Ｓ１１）。発生していないイベントが有る場合（Ｓ１１：ＹＥＳ）、ＣＰＵ１３はＳ６に戻って次に発生するイベントの条件を読込み、上記処理を繰り返す。
【００３２】
なお、イベントＮｏ３、４、５、７等のように、時間を条件としたイベントについては、履歴情報１８２として記憶された先に発生したイベントの発生時間を参照すればよい。例えば、Ｎｏ４のイベントの条件は、Ｎｏ２のイベント発生時から１２分後であるので、ＣＰＵ１３は履歴情報１８２における履歴Ｎｏ２の発生時の時間を参照すればよい。このようにして、フラッシュメモリ１８には、Ｎｏ１〜１７の各種イベント発生時の各種データを含む履歴情報１８２が記憶される。炊飯器１は炊飯調理が完了すると、ブザーで報知する。ＣＰＵ１３はイベントが全て終了したので（Ｓ１１：ＹＥＳ）、本処理を終了する。
【００３３】
このように、ＣＰＵ１３は、炊飯調理中の雰囲気温度、釜温度、イグナイタのオンオフ、バーナ４の火力の夫々の時間的変化を履歴情報１８２として記憶できる。また、ＣＰＵ１３は履歴情報１８２として、炊飯調理中の各種データを随時記憶するのではなく、炊飯調理中において特に重要であるイベント発生時の各種データを記憶する。これにより、仮にフラッシュメモリ１８が少ない記憶容量であっても、炊飯調理中の各種データの時間的変化を反映した履歴情報１８２を記憶できる。なお、ＣＰＵ１３は、炊飯調理を行う毎に履歴情報１８２を作成し、識別番号と作成日時を付した状態で、フラッシュメモリ１８に順次記憶する。よって、フラッシュメモリ１８には、識別番号と作成日時が付された複数の履歴情報１８２が記憶される。
【００３４】
次に、炊飯器１に発生した不具合の検証方法について説明する。例えば、修理目的でメーカに持ち込まれた炊飯器１の状態を分析する為、点検作業者は、外部端末５０の入出力部５７と、炊飯器１の入出力部３５とをケーブルで相互に接続し、炊飯器１のフラッシュメモリ１８に記憶された履歴情報１８２を外部端末５０に読込む。外部端末５０は読込んだ履歴情報１８２を記憶部５４に記憶する。点検作業者は、外部端末５０を操作することにより、表示部５５に、外部端末５０に読込んだ履歴情報１８２の各種データをグラフで表示させる。
【００３５】
図５〜図８を参照し、グラフ表示処理について説明する。炊飯器１に外部端末５０を接続した状態で、点検作業者が外部端末５０に所定の操作を行うことによって、外部端末５０のＣＰＵ５１は、ＲＯＭ５２からグラフ表示プログラムを読込み、本処理を実行する。図５に示すように、ＣＰＵ５１は、外部端末５０から一又は複数の履歴情報１８２を読込み、記憶部５４に記憶する（Ｓ２１）。ＣＰＵ５１は記憶部５４に記憶した一又は複数の履歴情報１８２を識別番号順に、表示部５５にリスト表示する（Ｓ２２）。点検作業者は、表示部５５にリスト表示された識別番号の中から検証したい履歴情報１８２の識別番号を入力する。ＣＰＵ５１は入力された識別番号を受け付ける（Ｓ２３）。ＣＰＵ５１は、受け付けた識別番号の履歴情報１８２を記憶部５４から読込む（Ｓ２４）。ＣＰＵ５１は読込んだ履歴情報１８２に基づき、グラフ情報を作成し（Ｓ２５）、表示部５５に表示する（Ｓ２６）。
【００３６】
例えば、図６に示すグラフは、正常時の炊飯調理における各種データの時間的変化を示すグラフの一例である。グラフは折れ線グラフであり、炊飯調理の開始から終了までの釜温度、雰囲気温度、イグナイタのオンオフ、バーナ４の火力の強弱を示す。なお、図６に示すグラフの各プロットに示す数字は、イベントテーブル１８１のイベントＮｏ、及び履歴情報１８２の履歴Ｎｏに対応する。
【００３７】
先ず、前工程として、バーナ４が点火され（イベントＮｏ１）、内釜２が加熱される。これによって釜温度及び雰囲気温度は上昇する。そして、雰囲気温度がＰ１に到達すると（イベントＮｏ２）、バーナ４が消火されることによって、浸し工程が開始する。浸し工程では、釜温度及び雰囲気温度は低下する。次いで、バーナ４が消火されてから１２分後（イベントＮｏ４）にバーナ４が再点火されることによって、炊き工程が開始する。
【００３８】
炊き工程では、バーナ４は弱火力に制御される。釜温度及び雰囲気温度は再び上昇する。雰囲気温度が沸騰温度に近いＰ３に到達したら（イベントＮｏ７）、バーナ４は一旦強火力に制御される。そして、雰囲気温度が沸騰温度になったら（イベントＮｏ８）、バーナ４は弱火力に戻される。雰囲気温度は一定に維持されると共に、釜温度は引き続き上昇する。釜温度がＰ４に到達すると（イベントＮｏ１１）、内釜２内の水分がほぼ無くなり、ドライアップの状態になるので、バーナ４が消火されることによって、蒸らし工程が開始する。
【００３９】
蒸らし工程では、雰囲気温度は引き続き一定に維持されるが、釜温度は緩やかに低下する。そして、雰囲気温度と釜温度が何れも沸騰温度以下になったら（イベントＮｏ１３）、バーナ４が再点火され、仕上げ加熱が１０秒間弱火力で行われる。点火してから１０秒後にバーナ４は消火され（イベントＮｏ１６）、蒸らし工程が終了する。蒸らし工程が終了後、３分後にブザー報知が行われる（イベントＮｏ１７）。このような炊飯調理が行われることによって、ふっくら美味しい米が炊き上がる。
【００４０】
ところで、米の炊き上がりが上手くいかない等の不具合が有る場合、炊飯器１に何かしら異常を生じている可能性が高い。その場合、炊飯調理中の各種データの時間的変化は、正常時のものと比較して、その異常の種類に応じて異なることが多い。そこで、本実施形態では、異常時の一例として、釜サーミスタ９のカバー１０が外れた状態で炊飯調理を行った場合と、蓋サーミスタ３３に米粒が付着した状態で炊飯調理を行った場合について検討する。
【００４１】
図７に示すグラフは、釜サーミスタ９のカバー１０を外して行った炊飯調理における各種データの時間的変化を示すグラフである。図７中の点線のグラフは、正常時の釜温度のグラフ（図６中の釜温度のグラフと同一）を示し、一点鎖線のグラフは、正常時の雰囲気温度のグラフ（図６中の雰囲気温度のグラフと同一）を示している。正常時のグラフと比較すると、浸し開始時（イベントＮｏ２）の釜温度が正常時よりも５℃程度高くなっている。これは、釜サーミスタ９が外部に露出していることから、バーナ４の火炎の影響で釜温度が高くなってしまったものと思われる。
【００４２】
さらに、沸騰検知時（イベントＮｏ８）の釜温度も正常時より１０℃程度高くなっており、バーナ４を弱火力に切替えてから２分後（イベントＮｏ１０）の釜温度も１０℃程度高くなっている。また、ドライアップしてバーナ４を消火するタイミング（イベントＮｏ１１）が正常時より早くなっていることから、正常時に比べて内釜２の保有熱量が少ない。これにより、釜温度が低下する時間的スピードが正常時よりも早くなっている。従って、炊き工程において、バーナ４を消火するタイミングが正常時よりも早いことから、炊き上がりの米粒は若干ベチャとした感じになり易い。よって、仮に、履歴情報１８２に基づき作成されたグラフ情報が図７に示すグラフのような特徴を有する場合、点検作業者は、カバー１０の位置が正規の位置では無かったと判断できる。
【００４３】
図８に示すグラフは、蓋サーミスタ３３の感知部にご飯粒を付けて検知感度を低下させたときの炊飯調理における各種データの時間的変化を示すグラフである。図８中の点線のグラフは、正常時の釜温度のグラフ（図６中の釜温度のグラフと同一）を示し、一点鎖線のグラフは、正常時の雰囲気温度のグラフ（図６中の雰囲気温度のグラフと同一）を示している。正常時のグラフと比較すると、浸し工程終了時（イベントＮｏ４）の釜温度及び雰囲気温度は、正常時における浸し工程終了時（図８中ｔ４参照）の釜温度及び雰囲気温度よりも１０℃程度高い。浸し工程終了時の釜温度及び雰囲気温度が正常時よりも高いと、炊き上がったときに米一粒の表面の粘りは強いが、米粒の中心部は硬いものになり易い。よって、仮に、履歴情報１８２に基づき作成されたグラフ情報が図８に示すグラフのような特徴を有する場合、点検作業者は、蓋サーミスタ３３の応答性に問題があったと判断できる。
【００４４】
このように、点検作業者は、表示部５５に表示されたグラフから、炊飯調理中の各種データの時間的変化を認識することによって、後からでも炊飯器１に発生した不具合を確認して検証できる。点検作業者は、外部端末５０の表示部５５に表示されたグラフの形状を確認し、正常時のグラフと比較観察することで、炊飯器１にどのような異常が生じているかを容易に且つ精度よく分析できる。上記の通り、外部端末５０に読込む履歴情報１８２は、イベントテーブル１８１に予め設定された各種イベントの発生時に検出された各種データであるので、炊き上がりに影響しない微小な変化やノイズ等がグラフに反映されない。これにより、炊き上がりの状態に影響し易いデータのみでグラフが作成されるので、正常時のグラフとの差異を明確に判断できる。
【００４５】
点検作業者は、表示部５５におけるグラフ表示を終了したい場合、外部端末５０に表示終了の操作を入力する。ＣＰＵ５１は表示終了の操作を受け付けたか判断する（Ｓ２７）。表示終了の操作を受け付けるまで（Ｓ２７：ＮＯ）、ＣＰＵ５１はＳ２４に戻って引き続き表示部５５におけるグラフ表示を行う。表示終了の操作を受け付けた場合（Ｓ２７：ＹＥＳ）、ＣＰＵ５１は本処理を終了する。
【００４６】
以上説明したように、本実施形態の炊飯器システム１００は、炊飯器１と外部端末５０を備える。炊飯器１のＣＰＵ１３は、炊飯器１の状態を反映する雰囲気温度や釜温度等の各種データを取得し、その取得した各種データの履歴情報１８２をフラッシュメモリ１８に記憶する。外部端末５０は炊飯器１に接続する。外部端末５０のＣＰＵ５１は、炊飯器１のフラッシュメモリ１８から履歴情報１８２を読出し、グラフ情報を作成する。ＣＰＵ５１は作成したグラフ情報を表示部５５に表示する。これにより、例えば、炊飯器１の点検作業者は、表示部５５に表示されたグラフ情報を確認することによって、炊飯器１の使用していた状態を後から確認して分析できる。よって、仮に修理目的でメーカに持ち込まれた炊飯器１の状態を分析する際、点検作業者は、炊飯器１のユーザ先での不具合を再現する必要が無いので、分析にかかる手間と時間を大幅に削減できる。グラフ情報は、炊飯器１の各種データの時間的変化を示すので、どのタイミングでどのような変化があったのかを容易に確認できる。
【００４７】
炊飯器１のＣＰＵ５１は、炊飯調理開始から終了までにおいて、予め設定された複数のイベントのうち何れかのイベントが発生したときに、炊飯器１の各種データを取得し、履歴情報１８２として記憶する。そのような履歴情報１８２に基づき作成されたグラフ情報を用いることで、点検作業者は、炊飯器１の状態の変化を、イベントが発生したときの状態のみで分析できる。即ち、分析には必要のない変動やノイズをグラフ情報から除去できるので、イベントが発生した重要なポイントを中心に炊飯器１の状態を分析できる。また、予め設定された複数のイベントのうち何れかのイベントが発生した場合にのみ炊飯器１の各種データを取得し、履歴情報１８２として記憶するので、容量の少ないフラッシュメモリ１８であっても対応できる。
【００４８】
炊飯器１のＣＰＵ５１は、炊飯調理における各工程の切り替わりをイベントとして各種データを取得する。各工程の切り替わり時の雰囲気温度と釜温度は、米が良好に炊けるか否かの重要なファクターである。外部端末５０は各工程に切り替わるイベントが発生したときの状態の変化を示すグラフ情報を作成できるので、点検作業者は、炊飯調理中の釜温度及び雰囲気温度の夫々の変化を、各工程が切り替わる重要なポイントを中心に炊飯器１の状態を分析できる。
【００４９】
炊飯器１のＣＰＵ５１は、雰囲気温度と釜温度に加え、イグナイタのオンオフとバーナ４の火力を取得するので、イグナイタの動作状態、及び第１電磁弁７と第２電磁弁８の動作状態をグラフ情報で分析できる。これにより、イグナイタ及び第１電磁弁７と第２電磁弁８の不具合等を容易に特定できる。
【００５０】
以上説明において、炊飯器１は本発明のガス器具の一例である。フラッシュメモリ１８は本発明の記憶部の一例である。釜サーミスタ９は本発明の釜温度検出手段の一例である。蓋サーミスタ３３は本発明の雰囲気温度検出手段の一例である。イグナイタは本発明の点火手段の一例である。第１電磁弁７と第２電磁弁８は本発明の火力調整手段の一例である。図４のＳ８の処理を実行するＣＰＵ１３は本発明の取得手段の一例である。Ｓ９の処理を実行するＣＰＵ１３は本発明の記憶手段の一例である。図５のＳ２５の処理を実行するＣＰＵ１３は本発明の作成手段の一例である。Ｓ２６の処理を実行するＣＰＵ１３は本発明の出力手段の一例である。
【００５１】
なお、本発明は上記実施形態に限定されるものではなく、種々の変更が可能である。上記実施形態は、炊飯器１の履歴情報１８２を外部端末５０の表示部５５に表示可能な炊飯器システム１００であるが、炊飯器１以外のガス器具（例えば、コンロ、給湯器等）の履歴情報を外部端末５０に表示可能なシステムであってもよい。
【００５２】
上記実施形態は、炊飯器１の履歴情報１８２を外部端末５０の表示部５５に表示可能な炊飯器システム１００であるが、例えば、炊飯器１のＣＰＵ５１が履歴情報１８２に基づきグラフ情報を作成し、炊飯器１の操作パネル１１の表示画面２０に表示してもよい。その場合、表示画面２０は例えば液晶パネルにするとなおよい。
【００５３】
上記実施形態では、外部端末５０を炊飯器１の入出力部３５にケーブル等で接続することによって、外部端末５０のＣＰＵ５１がフラッシュメモリ１８から履歴情報１８２を読み出すが、これ以外の方法で履歴情報１８２を読み出してもよい。例えば、炊飯器１をＬＡＮ又はインターネット等に接続し、炊飯器１に記憶された履歴情報１８２を、ＬＡＮ経由又はインターネット経由等で外部端末５０に入力するようにしてもよい。好ましくは、炊飯器１と外部端末５０を１対１で通信可能な状態にするのがよい。例えば、炊飯器１と外部端末５０を、例えばBluetooth（登録商標）等の無線で通信可能とし、炊飯器１に記憶された履歴情報１８２を無線で外部端末５０に入力するのがよい。なお、上記実施形態の外部端末５０は、ノート型パソコンであるが、表示部を有する端末であればよく、例えば周知のスマートフォン、タブレット端末、専用端末等であってもよい。
【００５４】
上記実施形態の炊飯器１のＣＰＵ１３は、イベントテーブル１８１に基づき、炊飯調理中における雰囲気温度、釜温度等の各種データを取得するが、取得するデータの種類は上記実施形態に限定しない。例えば、炊飯器１に、バーナ４以外の加熱手段（例えば、内釜２を加熱するヒータ等）が設けられている場合、その加熱手段の動作状態（例えば、ヒータのオンオフ等）を取得してもよい。
【００５５】
上記実施形態の炊飯調理を構成する各工程（図２，図６参照）は一例であり、各工程の内容、順番、時間等は自由に変更可能である。また、図６〜図８に示す雰囲気温度、釜温度等の時間変化は一例であって、これ以外の変化を示す場合もある。
【００５６】
上記実施形態のグラフ表示処理においては、炊飯器１から読み出した一又は複数の履歴情報１８２の中から一つの履歴情報１８２を履歴番号で受け付け、表示部５５に表示するが、例えば、デフォルトで正常な時間的変化を示すグラフ情報を色、線種等で識別可能に併せて表示するようにするとよい。これにより、正常時との差異を容易に特定できる。また、外部端末５０に読込んだ各種データのグラフ情報を表示部５５に全て表示する以外に、例えば、グラフ情報として表示部５５に表示するデータの種類を指定するようにしてもよい。
【００５７】
上記実施形態の炊飯器１は、履歴情報１８２を内部のフラッシュメモリ１８に記憶するが、炊飯器１に接続可能なメモリ装置（例えば、ＨＤＤ装置、ＵＳＢメモリ等）に記憶するようにしてもよい。
【符号の説明】
【００５８】
１      炊飯器
２      内釜
４      バーナ
７      第１電磁弁
８      第２電磁弁
９      釜サーミスタ
１３      ＣＰＵ
１８      フラッシュメモリ
２４      イグナイタ
３３      蓋サーミスタ
５０      外部端末
５１      ＣＰＵ
５４      記憶部
５５      表示部
１００      炊飯器システム
１８２      履歴情報
【図１】
2020048639.tif 000003
【図２】
2020048639.tif 000004
【図３】
2020048639.tif 000005
【図４】
2020048639.tif 000006
【図５】
2020048639.tif 000007
【図６】
2020048639.tif 000008
【図７】
2020048639.tif 000009
【図８】
2020048639.tif 000010